(57)【要約】画像を表示する電気泳動表示パネル（１）は複数の画素（２）と駆動手段（１００）とを有する。各画素（２）は、電位差を受け取るための２つの電極（３，４）と、電極（３，４）の間の異なる複数の位置を占めることが可能な帯電粒子（６）とを有する。駆動手段（１００）は、各画素（２）に、電位差パルスのシーケンスを供給することができ、各シーケンスは、画像を表示するために、粒子（６）を複数の位置のうちの一つの位置に運ぶための画像パルスを有する。このシーケンスを印加した後まもなくしても、少なくとも比較的中間の画質の画像を表示することができる表示パネル（１）のために、帯電粒子（６）を極位置に運ぶための画像パルスを受け取った少なくとも複数の画素（２）に対して、上記複数の画素の各画素（２）の上記電位差パルスのシーケンスは、上記画像パルスに続く追加画像パルスを有し、上記追加画像パルスは帯電粒子（６）がその位置を実質的に変更することを防止する役割をする。
2006526801.tif 000002
【特許請求の範囲】
【請求項１】
画像を表示する電気泳動表示パネルであって、前記電気泳動表示パネルは、
−複数の画素であって、各画素が電位差を受け取るための２つの電極と前記２つの電極の間の異なる複数の位置を占めることが可能な帯電粒子とを有する複数の画素、および
−各画素に電位差パルスのシーケンスを供給する駆動手段であって、前記シーケンスが、前記画像を表示するために前記帯電粒子を前記複数の位置のうちの一つの位置に運ぶための画像パルスを有するような駆動手段、
を有し、
前記帯電粒子を極位置に運ぶための画像パルスを受け取った少なくとも複数の画素に対して、前記複数の画素の各画素の前記電位差パルスのシーケンスは、前記画像パルスに続く追加画像パルスを有し、前記追加画像パルスは、前記帯電粒子がその位置を実質的に変更することを防止する役割をする、電気泳動表示パネル。
【請求項２】
−前記各画像パルスは、協力して画像エネルギーを表す画像値と関連する画像期間とを有し、
−前記各追加画像パルスは、追加画像エネルギーを表す、追加画像値と関連する追加画像期間とを有し、
−前記追加画像値は、前記画像値の符号に等しい符号を有し、
−前記追加画像値は、前記画像値の大きさよりも小さい大きさを有し、
−前記追加画像エネルギーは、前記画像エネルギーよりも小さい、
請求項１に記載の電気泳動表示パネル。
【請求項３】
前記各追加画像値の大きさは、前記画像値の大きさの半分よりも小さい、請求項２に記載の電気泳動表示パネル。
【請求項４】
前記各追加画像エネルギーは、前記画像エネルギーの半分よりも小さい、請求項３に記載の電気泳動表示パネル。
【請求項５】
前記画像パルスと前記追加画像パルスとの間の各間隔は、実質的にゼロである、請求項１に記載の電気泳動表示パネル。
【請求項６】
−前記各画像パルスは、協力して画像エネルギーを表す画像値と関連する画像期間とを有し、
−前記各追加画像パルスは、サブ追加画像エネルギーを表す、所定の個数のサブ追加画像値とサブ追加画像期間とを有し、
−前記サブ追加画像値の時間平均は、前記画像値の符号に等しい符号を有し、
−前記各サブ追加画像エネルギーは、前記画像エネルギーよりも小さい、請求項１に記載の電気泳動表示パネル。
【請求項７】
前記各サブ追加画像値は、前記画像値の符号に等しい符号を有する、請求項６に記載の電気泳動表示パネル。
【請求項８】
前記画素の数は、前記粒子を極位置に運ぶための画像パルスを受け取った画素の総数に等しい、請求項１に記載の電気泳動表示パネル。
【請求項９】
請求項１に記載の電気泳動表示パネルを有する表示装置。
【請求項１０】
画像を表示する電気泳動表示パネルを駆動する方法であって、前記電気泳動表示パネルは複数の画素を有し、前記各画素は、電位差を受け取るための２つの電極と前記２つの電極の間の異なる複数の位置を占めることが可能な帯電粒子とを有し、前記方法は、前記各画素に電位差パルスのシーケンスを供給するステップを有し、前記シーケンスは、前記画像を表示するために前記帯電粒子を前記複数の位置のうちの一つの位置に運ぶための画像パルスを有し、前記帯電粒子を極位置に運ぶための画像パルスを受け取った少なくとも複数の画素に対して、前記複数の画素の各画素の前記電位差パルスのシーケンスは、前記画像パルスに続く追加画像パルスを有し、前記追加画像パルスは前記帯電粒子がその位置を実質的に変更することを防止する役割をする、方法。
【請求項１１】
画像を表示する電気泳動表示パネルを駆動する駆動手段であって、前記電気泳動表示パネルは複数の画素を有し、前記各画素は、電位差を受け取るための２つの電極と前記２つの電極の間の異なる複数の位置を占めることが可能な帯電粒子とを有し、前記駆動手段は、前記各画素に電位差パルスのシーケンスを供給し、前記シーケンスは、前記画像を表示するために前記帯電粒子を前記複数の位置のうちの一つの位置に運ぶための画像パルスを有し、前記帯電粒子を極位置に運ぶための画像パルスを受け取った少なくとも複数の画素に対して、前記複数の画素の各画素の前記電位差パルスのシーケンスは、前記画像パルスに続く追加画像パルスを有し、前記追加画像パルスは前記帯電粒子がその位置を実質的に変更することを防止する役割をする、駆動手段。
【発明の詳細な説明】
【技術分野】
【０００１】
本発明は、画像を表示する電気泳動表示パネルに関する。前記電気泳動表示パネルは、
−複数の画素であって、各画素が電位差を受け取るための２つの電極と前記２つの電極の間の異なる複数の位置を占めることが可能な帯電粒子とを有する複数の画素、および
−各画素に電位差パルスのシーケンスを供給する駆動手段であって、前記シーケンスが、前記画像を表示するために前記帯電粒子を前記複数の位置のうちの一つの位置に運ぶための画像パルスを有するような駆動手段、
を有する。
【背景技術】
【０００２】
電気泳動表示パネルは、一般的に、帯電し、通常は着色した粒子が、電極間の電界の影響を受けて移動することに基づいている。これらのディスプレイパネルによれば、暗い（着色）キャラクタを、明るい（着色）背景に表示することができ、その反対も同様に表示できる。したがって、電気泳動表示パネルは、「ホワイトペーパ」アプリケーション（電子新聞、電子手帳）と呼ばれる紙の機能を引き継ぐ表示装置に特に使用される。画素は、画像を表示する間、電極間の帯電粒子の位置によって決定される外観を有する。電位差パルスのシーケンスは、画像を表示するために粒子をその位置に運ぶための画像パルスから成る。しかし、画素の外観は、電位差パルスのシーケンスを印加してからおよそ１秒後に実質的に変化する。したがって、電位差パルスのシーケンスを印加してからおよそ１秒後に表示される画像の比較的低い画質に比べて、電位差パルスのシーケンスの印加の直後に表示される画像は、比較的高い画質を有する。
【０００３】
この表示パネルの欠点は、一般的に、電位差パルスのシーケンスを印加した後まもなく表示される画像の画質が比較的低いことである。
【発明の開示】
【発明が解決しようとする課題】
【０００４】
本発明の目的は、電位差パルスのシーケンスを印加した後まもなくしても、少なくとも比較的中程度の画質の画像を表示することができる冒頭に言及された種類の表示パネルを提供することにある。
【課題を解決するための手段】
【０００５】
この目的は、上記帯電粒子を極位置に運ぶための画像パルスを受け取った少なくとも複数の画素に対して、上記複数の画素の各画素の上記電位差パルスのシーケンスは、上記画像パルスに続く追加画像パルスを有し、上記追加画像パルスは、上記帯電粒子がその位置を実質的に変更することを防止する役割をすることで、達成される。
【０００６】
画像パルスにより複数の極位置のうちの１つの位置に存在する粒子は、追加画像パルスにより、実質的にその位置に存在したままでいる。したがって、上記複数の画素の中の画素の外観は実質的に変化せず、表示されている画像は、電位差パルスのシーケンスを印加した後まもなくしても、少なくとも比較的中程度の画質の画像である。これは、画素パルスによって極位置に存在する粒子が画素パルスの印加後まもなくしてその位置を実質的に変える、即ち粒子がその極位置から一種のキックバックを受ける一般の表示パネルとは対照的である。したがって、画像パルスを印加した後まもなくして一般に表示パネルにより表示される画像の画質は、比較的低い。キックバック作用は、粒子が、画像パルスにより電極にぶつかる堅いボールとして振舞い、画像パルスの印加後に電極を離れるということで説明できるだろう。
【０００７】
一実施例では、
−上記各画像パルスは、協力して画像エネルギーを表す画像値と関連する画像期間とを有し、
−上記各追加画像パルスは、追加画像エネルギーを表す、追加画像値と関連する追加画像期間とを有し、
−上記追加画像値は、上記画像値の符号に等しい符号を有し、
−上記追加画像値は、上記画像値の大きさよりも小さい大きさを有し、
−上記追加画像エネルギーは、上記画像エネルギーよりも小さい。
【０００８】
複数の画素の各画素に供給される追加画像エネルギーは、追加画像値と関連する追加画像期間との両方を制御することによって、制御することができる。
【０００９】
上記各追加画像値の大きさは上記画像値の大きさの半分よりも小さいことが好ましい。この場合、フレーム期間は約２０ｍｓｅｃの標準長さを有することができる。好ましくは、上記各追加画像エネルギーは、上記画像エネルギーの半分よりも小さい。この場合、過度のＤＣ部品の構造が緩和される。
【００１０】
上記画像パルスと上記追加画像パルスとの間の各間隔は実質的にゼロであることが好ましい。この場合、画像更新時間が削減される。
【００１１】
別の実施例では、
−上記各画像パルスは、協力して画像エネルギーを表す画像値と関連する画像期間とを有し、
−上記各追加画像パルスは、サブ追加画像エネルギーを表す、所定の個数のサブ追加画像値とサブ追加画像期間とを有し、
−上記サブ追加画像値の時間平均は、上記画像値の符号に等しい符号を有し、
−上記各サブ追加画像エネルギーは、上記画像エネルギーよりも小さい。この場合、サブ追加画像値の個数は画素の光学的応答を最適化するように選択できる。更に、上記各サブ追加画像値が上記画像値の符号に等しい符号を有する場合、各サブ追加画像値の利用により、粒子がその位置を変えることを少なくとも部分的に防止する透過が得られる。
【００１２】
上記の実施例において、上記画素の数は、上記粒子を極位置に運ぶための画像パルスを受け取った画素の総数に等しいことが好ましい。
【００１３】
一実施例では、表示パネルは表示装置の一部である。
【００１４】
本発明によれば、画像を表示する電気泳動表示パネルを駆動する方法が提供される。上記電気泳動表示パネルは複数の画素を有し、上記各画素は、電位差を受け取るための２つの電極と上記２つの電極の間の異なる複数の位置を占めることが可能な帯電粒子とを有し、上記方法は、上記各画素に電位差パルスのシーケンスを供給するステップを有し、上記シーケンスは、上記画像を表示するために上記帯電粒子を上記複数の位置のうちの一つの位置に運ぶための画像パルスを有し、上記帯電粒子を極位置に運ぶための画像パルスを受け取った少なくとも複数の画素に対して、上記複数の画素の各画素の上記電位差パルスのシーケンスは、上記画像パルスに続く追加画像パルスを有し、上記追加画像パルスは上記帯電粒子がその位置を実質的に変更することを防止する役割をする。
【００１５】
また、本発明によれば、画像を表示する電気泳動表示パネルを駆動する駆動手段が提供される。上記電気泳動表示パネルは複数の画素を有し、上記各画素は、電位差を受け取るための２つの電極と上記２つの電極の間の異なる複数の位置を占めることが可能な帯電粒子とを有し、上記駆動手段は、上記各画素に電位差パルスのシーケンスを供給し、上記シーケンスは、上記画像を表示するために上記帯電粒子を上記複数の位置のうちの一つの位置に運ぶための画像パルスを有し、上記帯電粒子を極位置に運ぶための画像パルスを受け取った少なくとも複数の画素に対して、上記複数の画素の各画素の上記電位差パルスのシーケンスは、上記画像パルスに続く追加画像パルスを有し、上記追加画像パルスは上記帯電粒子がその位置を実質的に変更することを防止する役割をする。
【００１６】
本発明は、複数の画素を有する表示パネルに対して記載されているが、本発明は、例えばサイニジアプリケーション（signage application）の、単一画素を有する表示パネルに使用できることも当業者には明らかである。
【００１７】
本発明の表示パネルのこれらおよび他の態様は、図面を基準にして更に説明され記載される。
【００１８】
全ての図において、対応する部分は、同じ符号によって参照される。
【発明を実施するための最良の形態】
【００１９】
図１および図２は、第１の基板８と、第２の透明対向基板９と、複数の画素２とを有する表示パネル１の一例を示す。好ましくは、画素２は、実質的にまっすぐなラインに沿って、二次元的な構造に配される。あるいは、画素２の他の配列も可能であり、例えばハニカム配列である。液体中に帯電粒子６を有する電気泳動媒体５が、基板８，９の間に存在する。第１および第２の電極３，４は、電位差を受け取るため各画素２に対応付けられている。図２において、第１の基板８は、各画素２用に第１の電極３を有し、第２の画素９は、各画素２用に第２の電極４を有する。帯電粒子６は、電極３の近くの極位置と、電極４の近くの極位置と、電極３，４の間の中間位置とのうちの一方の位置を占めることができる。各画素２は、電極３，４の間の帯電粒子６の位置によって決定される外観を有する。電気泳動媒体５は、それ自体は例えばＵＳ５，９６１，８０４号、ＵＳ６，１２０，８３９号、およびＵＳ６，１３０，７７４号から既知であり、例えばＥＩｎｋ社から入手できる。一例として、電気泳動媒体５は、白の液体中に、負に帯電した黒の粒子６を有する。帯電粒子６が、電位差が例えば１５Ｖである結果として、第１の極位置に、即ち第１の電極３の近くに存在するとき、画素２の外観は例えば白である。ここでは、画素２は第２の基板９の側から観察されると考える。帯電粒子６が、反対極性の電位差、即ち−１５Ｖの結果として、第２の極位置に、即ち第２の電極４の近くに存在するとき、画素２の外観は黒である。帯電粒子６が、複数の中間位置のうちの或る中間位置に、即ち電極３、４の間に存在するとき、画素２は、白と黒との間のグレーレベルである複数の中間の外観（例えば、ライトグレー、ミドルグレー、およびダークグレー）のうちの或る中間の外観を有する。駆動手段１００は、各画素２に電位差パルスのシーケンスを供給することができ、各シーケンスは画像を表示するために粒子６を複数の位置のうちの一つの位置に運ぶための画像パルスを有する。粒子６を極位置に運ぶための画像パルスを受け取った少なくとも複数の画素２に関して、その複数の画素の各画素２の電位差パルスのシーケンスは、画像パルスに続く追加画像パルスを有し、この追加画像パルスは、粒子６がその位置を実質的に変更することを防止する役割をする。
【００２０】
一実施例では、各画像パルスは、協力して画像エネルギーを表わす画像値と関連する画像期間とを有する。さらに、各追加画像パルスは、追加画像エネルギーを表す、追加画像値と関連する追加画像期間とを有する。追加画像値の符号は画像値の符号に等しく、追加画像値の大きさは画像値の大きさよりも小さく、追加画像エネルギーは画像エネルギーよりも小さい。一例では、上記の複数の画素のうちの画素２の電位差パルスのシーケンスは、図３に、時間の関数として示される。画像パルスの印加前、画素２の外観は、例えば白く、これはＷで示されている。画素２の画像パルスは、時刻ｔ１から時刻ｔ２までの間に存在し、例えば、−１５Ｖの画像値と２００ｍｓの関連する画像期間とを有する。結果として、画素２の外観は黒く、これはＢで示されている。追加画像パルスは、時刻ｔ３から時刻ｔ４までの間に存在し、例えば−１．５Ｖの追加画像値と８００ｍｓの関連する追加画像期間とを有する。ｔ２とｔ３との間の時間間隔は小さく（例えば１０ｍｓ）またはゼロのこともある。追加画像パルスは粒子６がその位置を実質的に変更することを防止するので、画素２の外観は実質的に変わらない。これは、追加の画像値の大きさが画像値の大きさの半分よりも小さい例でもあり、追加画像エネルギーが画像エネルギーの半分よりも小さい例でもある。ｔ２とｔ３との間の時間間隔が実質的にゼロである場合、これは、画像パルスと追加画像パルスとの間の間隔が実質的にゼロである例でもある。
【００２１】
別の例では、各画像パルスは、協力して画像エネルギーを表す画像値と関連する画像期間とを有する。さらに、各追加画像パルスは、サブ追加画像エネルギーを表す、所定の数のサブ追加画像値とサブ追加画像期間とを有し、これによって、サブ追加画像値の時間平均は、画像値の符号と同じ符号を有し、各サブ追加画像エネルギーは、画像エネルギーよりも小さい。一例では、上記の複数の画素のうちの画素２の電位差パルスのシーケンスは、図４に、時間の関数として示されている。画像パルスの印加前、画素２の外観は、例えばライトグレーであり、これはＬＧで示されている。画素２の画像パルスは、時刻ｔ１から時刻ｔ２までの間に存在し、例えば、−１５Ｖの画像値と１５０ｍｓの関連する画像期間とを有する。結果として、画素２の外観は黒い。追加画像パルスは、時刻ｔ２から時刻ｔ４までの間に存在し、例えば、時刻ｔ２と時刻ｔ３との間と、時刻ｔ３と時刻ｔ４との間に、連続的に存在する２個のサブ追加画像値を有する。２個のサブ追加画像値は、例えば１．５Ｖおよび−１．５Ｖと続き、それぞれの関連するサブ追加画像期間は例えば１００ｍｓおよび１０００ｍｓである。サブ追加画像値の時間平均は、およそ−１．２３Ｖ、即ち（１．５＊１００−１．５＊１０００）／（１００＋１０００）Ｖである。サブ追加画像値の適用によって、粒子６がその位置を実質的に変更することが防止され、画素２の外観は実質的に変わらない。実施例の変形例では、各サブ追加画像値は、画像値の符号に等しい符号を有する。一例では、上記の複数の画素のうちの画素２の電位差パルスのシーケンスは、図５に、時間の関数として示されている。画像パルスの印加前、画素２の外観は、例えばミドルグレーであり、これはＭＧで示されている。画素２の画像パルスは、時刻ｔ１から時刻ｔ２までの間に存在し、例えば、−１５Ｖの画像値と１００ｍｓの関連する画像期間とを有する。結果として、画素２の外観は黒い。追加画像パルスは、時刻ｔ３から時刻ｔ８までの間に存在し、例えば、時刻ｔ３と時刻ｔ４との間、時刻ｔ５と時刻ｔ６との間、および時刻ｔ７と時刻ｔ８との間に、連続的に存在する３つのサブ追加画像値を有する。各サブ追加画像値は、画像値の符号と同じ符号を有し、例えばサブ追加画像値は−１５Ｖであり、関連するサブ追加画像期間は例えば１２ｍｓである。−１５Ｖのサブ追加画像値どうしの間の時間間隔、即ち、時刻ｔ２から時刻ｔ３までの時間間隔、時刻ｔ４から時刻ｔ５までの時間間隔、および時刻ｔ６から時刻ｔ７までの時間間隔は、例えば２００ｍｓである。サブ追加画像値の適用によって、粒子６がその位置を実質的に変更することが防止され、画素２の外観は実質的に変わらない。この実施例によって、単純なドライバＩＣを使用することが可能になる。
【図面の簡単な説明】
【００２２】
【図１】表示パネルの一実施例の正面図を概略的に示す。
【図２】図１のＩＩ−ＩＩに沿う断面図を概略的に示す。
【図３】実施例において、複数の画素のうちの一つの画素に対する電位差パルスのシーケンスを時間の関数として概略的に示す。
【図４】別の実施例において、複数の画素のうちの一つの画素に対する電位差パルスのシーケンスを時間の関数として概略的に示す。
【図５】別の実施例において、複数の画素のうちの一つの画素に対する電位差パルスのシーケンスを時間の関数として概略的に示す。
【図１】
2006526801.tif 000003
【図２】
2006526801.tif 000004
【図３】
2006526801.tif 000005
【図４】
2006526801.tif 000006
【図５】
2006526801.tif 000007
【国際調査報告】
2006526801.tif 000008
2006526801.tif 000009